(57)【要約】      （修正有）【課題】スマートフォンなどの携帯端末において取り外し可能なイヤホンチャーム、スマートフォンのタッチパネルの操作が不確実な者においても確実の作動することができるタッチペン、また、アニメーション作品を好む者にも適用することができる複雑な形態を有するキャラクターをあしらったイヤホンチャームを提供する。【解決手段】合成樹脂からなる本体１１に、携帯端末のイヤホンジャックに接続することができる接続部３０を当該本体の一方に有するイヤホンチャーム１０であって、本体１１の他方に導電性を有する先端部２０とその先端部２０から本体１１において導電部２５を設け、使用者がその本体における前記導電部に接触することでタッチペンとして使用することができることを特徴とするイヤホンチャーム１０。【選択図】図１
0003187290.tif 000002
【実用新案登録請求の範囲】
【請求項１】
合成樹脂からなる本体に、携帯端末のイヤホンジャックに接続することができる接続部を当該本体の一方に有するイヤホンチャームであって、本体の他方に導電性を有する先端部とその先端部から本体において導電部を設け、使用者がその本体における前記導電部に接触することでタッチペンとして使用することができることを特徴とするイヤホンチャーム。
【請求項２】
本体における合成樹脂はＰＶＣ素材からなり、前記本体に装飾部を設けたことを特徴とする請求項１記載のイヤホンチャーム。
【請求項３】
少なくとも複数の異なる色のＰＶＣ素材からなる装飾部を有することを特徴とする請求項１または２記載のイヤホンチャーム。
【請求項４】
先端部を、導電性を有するシリコーン樹脂で成形したことを特徴とする請求項１〜３いずれか１項記載のイヤホンチャーム。
【考案の詳細な説明】
【技術分野】
【０００１】
本考案は、スマートフォンに取り付けるイヤホンチャームに関するものである。
【背景技術】
【０００２】
我が国のアニメーション作品が世界中に拡がり我が国の文化として、世界各国で、そのアニメーション作品およびその登場人物のキャラクターが受けいれられている。特にフィギュアと呼ばれるアニメーション作品の登場人物を模した人形や、そのアニメーション作品の登場人物のキャラクターになりきるイベントも活況を呈している。このような状況下において、従来アニメーション作品を好む者はアニメーション作品の主人公をモチーフとしたキャラクター商品を、例えば、スマートフォンに取り付けるものが普及している。
【０００３】
また、一方で、アニメーション作品を好む者は、小型の音楽再生機によって、音楽を楽しむ者も多く、特にアニメーション作品における主題歌を、上記スマートフォンなどに録音して音楽を楽しむ場合がある。このようにスマートフォンにおいてはほとんどすべてと云っていいほど音楽再生機能が具備されており、これらをいわば携帯音楽プレーヤーとして使用している。このため、スピーカーを装備するものは少なく、その機能をイヤホンに置き換えている。従ってイヤホンはスマートフォンに必須のものであり、それを取り付けるためにイヤホンジャックも具備している。
【０００４】
しかしながらスマートフォンは持ち運びする際に、そのイヤホンジャックに埃が入ることがあり、イヤホンとの接触に支障をきたす虞がある。それを防ぐためにイヤホンチャームといった商品が販売されている。このイヤホンチャームは、イヤホンジャックに差し込むためのプラグに相当するピンがついておりそれをイヤホンジャックに挿入することでイヤホンジャックに埃が入ることを防いでいる。尚、そのイヤホンチャームには、少なからず装飾物が付加されており例えば次のような装飾物等が付加されている。
【０００５】
この装飾物はたとえば、アニメーション作品の登場人物をモチーフとしたキャラクターをこのイヤホンチャームに取り付けることができる。このキャラクターは、アニメーション作品を好む者おいては、必須のものであり、多数の異なる色を付した合成樹脂が複雑に入り組んだ形態を有している。この成型加工の方法は、１つの金型にはキャラクターのデザインの形状を呈した仕切りがあり、そのキャラクターの形状の仕切りにおいて当該キャラクターにおける各部分が、さらに各色別に仕切られており、この１つの仕切り内に着色した樹脂を手作業で注射器を用いて流し込み、ポリ塩化ビニル (PVC)からなる本体に機械で焼きつけ固体化し、それを各色別に複数回繰り返すことで成型することができる。この着色した樹脂は、本体と同様にポリ塩化ビニル (PVC)が好ましい。なお、ポリ塩化ビニル (PVC)についてはＡＴＢＣ−ＰＶＣに変えることもできる。これは環境ホルモンの影響を軽減するためにその可塑剤をフタル酸エステル類からクエン酸アセチルトリブチルに変更したものである。尚、ＰＶＣ樹脂と云うときは、ポリ塩化ビニル (PVC)だけではなく、ＡＴＢＣ−ＰＶＣ樹脂も含まれる趣旨である。
【０００６】
また、携帯端末のうち近年普及し始めたほとんどのスマートフォンが、いわゆるタッチパネルを採用しており、指先一つでそのスマートフォンのほとんどの機能を操作することができる。このスマートフォンのタッチパネルは、いわゆる静電容量方式というものが採用されている場合がある。
【０００７】
この、静電容量方式と云われるタッチパネルは、人が発する静電気に反応するので、液晶画面を、指で触れることによって発生する微弱な電気に、このスマートフォンにおける液晶画面のセンサーが反応してタッチした指の位置を認識するというものである。従って、静電気を発生させないものがスマートフォンのタッチパネルに接触しても反応せず、意図しないものがタッチパネルに接触しても作動しない。例えば、このスマートフォンを鞄に入れて持ち運んだ場合に、鞄の中で他の物と接触した場合であっても誤作動しないというものである。
【０００８】
また、指先で操作する場合に指先が疲れてしまうといった問題がある。また、必ずしも細かい部分をタッチできないといった問題がある。このため確実な操作をするためにはタッチペンを用いて操作をすればよくその場合はこのような問題は生じない。
【０００９】
このようなタッチペンとして、実用新案登録第３１３５４０９号公報においてタッチパネルを備える機器に格納可能な棒状の本体を備え、前記タッチパネルに接触させることにより入力装置として機能するタッチペンであって、前記本体の上端部において該本体の径方向に沿って形成された孔と、前記本体の上端から該本体の軸線方向に沿って形成され、下端が前記孔に連通するストラップホールとを有し、前記ストラップホールの直径は、前記孔の直径よりも小さいことに特徴を有するものが開示されている。
【００１０】
タッチペンは、ペン先に相当する部分に、導電性を有する部材を採用し、把持部にも金属を用いることで導電性を有する素材で構成されている。このようなタッチペンは、使用者が手に持って、スマートフォンなどの液晶画面に接触した際に電流が発生するようになっており当該スマートフォンを操作することができるようになっている。
【００１１】
しかしながら上記公報に開示されているタッチペンは、タッチパネルを備える機器の入力装置として機能するものであり当該機器とストラップ紐で結ばれることにより紛失を防止し、機器とストラップ紐で結ばれた状態で紛失をふせぐとともに、機器に完全に格納することのできるものであるが、タッチパネルを備える機器のうちスマートフォン本体にタッチペンを収納できるスペースが無く、また、スマートフォンにはストラップを装着しない場合があり適用することができないという問題がある。
【００１２】
一方で、アニメーション作品を好む者はこの複雑な形態を有するキャラクターを装飾としたものを好むが、上記タッチペンではこのような成形加工をするためには、本体を金属部材で構成した場合においては複雑な形態を有するキャラクターを表現することが困難であるという問題がある。また、このようにＰＶＣ樹脂を使用することで、複雑で微細な成形は可能となるが、ＰＶＣ樹脂では導電性はほとんどない。
【００１３】
【特許文献１】実用新案登録第３１３５４０９号公報
【考案の開示】
【考案が解決しようとする課題】
【００１４】
本考案の課題は、スマートフォンなどの携帯端末において取り外し可能なイヤホンチャームを提供するとともに、スマートフォンのタッチパネルの操作が不確実な者においても確実の作動することができるタッチペンを提供することである。また、アニメーション作品を好む者にも適用することができる複雑な形態を有するキャラクターをあしらったイヤホンチャームを提供することである。
【課題を解決するための手段】
【００１５】
前記の課題を解決するため、本考案は、合成樹脂からなる本体に、携帯端末のイヤホンジャックに接続することができる接続部を当該本体の一方に有するイヤホンチャームであって、本体の他方に導電性を有する先端部とその先端部から本体において導電部を設け、使用者がその本体における前記導電部に接触することでタッチペンとして使用するという手段を講じたものである。
【００１６】
イヤホンチャーム本体は、合成樹脂からなるものであり、それをＰＶＣ樹脂、またはＡＴＢＣ―ＰＶＣ素材に置き換えることもできる。それらは一定の柔軟性を有し、イヤホンチャームとしてスマートフォンに接続して携帯しても当該スマートフォンに対して傷をつける恐れの少ないものである。また、本体の一方における接続部はスマートフォンのイヤホンジャックに挿入することで当該スマートフォンに接続することができるものである。従って、スマートフォン本体にタッチペンを収納できるスペースがない場合であっても、また、スマートフォンにはストラップを装着しない場合であってもスマートフォンに取り付ければスマートフォンと一緒に携帯することができるものである。また、いわゆるイヤホンチャームとしてスマートフォンのイヤホインジャックに埃や水等の侵入を防ぐことができるものである。
【００１７】
また、本体の他方に導電性を有する先端部とその先端部から本体において導電部を設けているので、使用者は本体に設けられた導電部に触れつつ、スマートフォンのタッチパネルに当該先端部を接触させれば、タッチペンとしての機能を奏することができる。
【００１８】
前記の課題を解決するため、本考案について、本体における合成樹脂はＰＶＣ素材からなり、前記本体に装飾部を設けるという手段を講じたものである。装飾部は、例えば、ロゴあるいは、アニメーション作品の主人公をモチーフとしたキャラクターを装飾部に形成することができる。従って、その場合は、アニメーションキャラクター付きの携帯ストラップとして使用することができる。
【００１９】
前記の課題を解決するため、本考案は、少なくとも複数の異なる色のＰＶＣ樹脂からなる装飾部を有するという手段を講じたものである。例えば、アニメーション作品のキャラクターを装飾部に成形する場合において上記のとおり、１つの金型にはキャラクターのデザインの形状を呈した仕切りがあり、そのキャラクターの形状の仕切りにおいて当該キャラクターにおける各部分が、さらに各色別に仕切られており、この１つの仕切り内に着色した液状のＰＶＣ樹脂を手作業で注射器を用いて流し込み、ＰＶＣ樹脂からなる本体に機械で焼きつけ固体化し、それを各色別に複数回繰り返すことで成型することができる。このような方法で装飾部を形成することができるので、複雑に入り組んだアニメーション作品のキャラクターを成形することができる。尚、上記のとおりＰＶＣ樹脂をすべてあるいは一部をＡＴＢＣ−ＰＶＣ樹脂に置き換えても同一の工程で成形することができる。
【００２０】
前記の課題を解決するため、本考案は、先端部を、導電性を有するシリコーン樹脂で成形するという手段を講じたものである。このシリコーン樹脂は柔軟性を有するために液晶画面に傷が行きにくいものである。
【００２１】
本考案は以上のように構成されかつ作用するものであり、携帯ストラップとして使用可能なイヤホンチャームを提供するとともに、スマートフォンのタッチパネルの操作が不確実な者においても確実の作動することができるタッチペンを提供することができる。また、アニメーション作品を好む者にも適用することができる複雑な形態を有するキャラクターをあしらったイヤホンチャームを提供することできる。
【考案を実施するための最良の形態】
【００２２】
以下、図示の実施形態を参照して本考案をより詳細に説明する。図１は、イヤホンチャームの斜視図である。図２はイヤホンチャームの裏面の斜視図である。図３は、イヤホンチャームの平面図である。図４は、イヤホンチャームの使用状態図である。
【００２３】
イヤホンチャーム１０は、本体１１と先端部２０と接続部３０で構成されている。本体１１には装飾部４０を有している。本体１１は、合成樹脂素材が好ましいがＰＶＣ樹脂または後述するようにＡＴＢＣ―ＰＶＣ樹脂を用いることも好ましいがこれらに限られることはない。尚、符号１３は本体１１を２分割して成形され、それらを貼り合わせた接合部であるが、本体１１を一体として成形することができる。
【００２４】
先端部２０は、接触部２１と基部２２からなる。接触部２１は文字通り、スマートフォンＳの液晶画面Ｍに接触する部位であり、タッチペンのペン先に相当するものである。接触部２１は導電性シリコーン樹脂で成形されており、液晶画面Ｍが傷つきにくく、また、接触部２１は導電性を有するものである。尚、導電性シリコーン樹脂については、たとえばカーボンブラックを混入させることによって導電特性を付与したものが公知である。
【００２５】
接触部２１を支える基部２２は本体１１に接続されている。基部２２はポリカーボネートで形成されており、金属メッキで表面処理されているので導電性を有するものである。また、導電部２５、２５は、接触部２１及び基部２２と電気的に接続した状態で、本体１１の側面部１１ａ、１１ｂにそれぞれ配置されている。なお、導電部２５、２５は本体１１の側面部１１ａ、１１ｂにおいて使用者が当該導電部２５，２５に接触可能な状態で埋め込まれても好ましい。尚、導電部２５は金属薄板で構成することも好ましく、また、合成樹脂に金属メッキをして導電性を付加したものあるいは、導電性を有するシリコーン樹脂でも好ましい。
【００２６】
接続部３０は、リング３１と連結環３２とリング３３、ストラップ部３４、連結環３５、リング３６およびピン３７で構成されている。リング３１は本体接続部１４と接続され、ワンタッチで取り外し可能な連結環３２に接続されている。連結環３２はさらにリング３３を介してストラップ部３４に接続されている。また、ストラップ部３４はワンタッチで取り外し可能な連結環３５と接続されリング３６を介してピン３７に接続されている。
【００２７】
ピン３７はイヤホンジャックＰに差し込まれるプラグに似た形状を呈している。従って
ピン３７は複数の凸凹部３７ａが配置され、スマートフォンのイヤホンジャックＰの中に挿入されるとイヤホンジャックＰの内部と係合され、一定以上の力で引き抜かない限りその係合から脱することはない。よって、当該接続部３０におけるピン３７をスマートフォンＳのイヤホンジャックＰに係合すれば、スマートフォンＳとともに携帯することができる。
【００２８】
本体１１の表面１２には装飾部４０を配置している。本実施例において、装飾部４０は装飾部基部４１と複数の絵柄部分で構成され、文字通りイヤホンチャーム１０を装飾するものであり、装飾部４０においてもＰＶＣ素材が用いられている。上述のとおり、本実施例においては、装飾部基部４１において、例えば茶色のＰＶＣ素材を用いることができる。また、装飾部基部４１の外形は、平面視長方形状を呈し、その内部は、前記装飾基部４１において、Ｌ字状の形状の白抜部４１ａ、Ｏ字状の形状の白抜部４１ｂ、Ｇ字状の形状の白抜部４１ｃ、Ｏ字状の形状の白抜部４１ｄをそれぞれ配置したものとなる。従って、後述するように絵柄部分４２、４３、４４、４５を装飾部４０にそれぞれ配置しているので、前記白抜部４１ａ、４１ｂ、４１ｃ、４１ｄは、「ＬＯＧＯ」の文字をそれぞれ形取った輪郭を呈しており、前記白抜部４１ａ、４１ｂ、４１ｃ、４１ｄが表面１２として現れることになる。
【００２９】
絵柄部分４２は、Ｌ字状を呈している。従って、金型においてＬ字状の形状に仕切られた白抜部４１ａを形取った金型の仕切りによって、その白抜部４１ａよりも一回り小さな前記Ｌ字状の絵柄部分４２が形成されている。絵柄部分４２は、例えば黄色の液体のＰＶＣ樹脂を、その絵柄部分４２を形取ったその仕切りの中に注射器で流し込み、表面１２上において機械で焼きつけ固体化する。次に、絵柄部分４３は、Ｏ字状を呈している。従って、金型においてＯ字状の形状に仕切られた白抜部４１ｂを形取った金型の仕切りによって、その白抜部４１ｂよりも一回り小さな前記Ｌ字状の絵柄部分４３が形成されている。絵柄部分４３は、例えば黄緑色の液体のＰＶＣ樹脂を、その絵柄部分４３を形取ったその仕切りの中に注射器で流し込み、表面１２上において機械で焼きつけ固体化する。尚、装飾部基部４１とＬ字状の絵柄部分４２との間には隙間（白抜部４１ａ）が生じているので、その隙間に、表面１２が現れることになる。また、装飾部基部４１とＯ字状の絵柄部分４３との間にも隙間（白抜部４１ｂ）が生じているので、その隙間に、表面１２が現れることになる。
【００３０】
絵柄部分４４は、Ｇ字状を呈している。従って、金型においてＧ字状の形状に仕切られた白抜部４１ｃを形取った金型の仕切りによって、その白抜部４１ｃよりも一回り小さな前記Ｌ字状の絵柄部分４４が形成されている。絵柄部分４４は、例えば緑色の液体のＰＶＣ樹脂を、その絵柄部分４４を形取ったその仕切りの中に注射器で流し込み、表面１２上において機械で焼きつけ固体化する。さらに、絵柄部分４５は、Ｏ字状を呈している。従って、金型においてＯ字状の形状に仕切られた白抜部４１ｄを形取った金型の仕切りによって、その白抜部４１ｄよりも一回り小さな前記Ｌ字状の絵柄部分４５が形成されている。絵柄部分４５は、例えば緑色の液体のＰＶＣ樹脂を、その絵柄部分４５を形取ったその仕切りの中に注射器で流し込み、表面１２上において機械で焼きつけ固体化する。尚、装飾部基部４１とＧ字状の絵柄部分４４との間には隙間（白抜部４１ｃ）が生じているので、その隙間に、表面１２が現れることになる。また、装飾部基部４１とＯ字状の絵柄部分４５との間にも隙間（白抜部４１ｄ）が生じているので、その隙間に、表面１２が現れることになる。また、装飾部４０において、装飾部基部４１と複数の絵柄部分４２、４３、４４、４５はその高さを面一にすることができる。
【００３１】
また、本体１１についてもＰＶＣ素材が用いられる。本体１１は、例えば水色の樹脂で成形され、それとは異なる色彩で装飾部基部４１が成形され、上記装飾部分４２、４３、４４、４５はそれぞれ上記のように異なる色で成形されていることから、装飾部４０は複数の異なる色彩で構成されている。このように金型あるいはその金型の各仕切りを細分化することにより実施例のような文字だけでなくさらに複雑な構成とすることができる。例えばアニメーションキャラクターなどの複雑なものであってもそれを立体的に表現することができる。例えば髪の毛の色を２色にしたり瞳の色と白眼部分を別々の色彩にしたりと云ったように微細な成形をすることができる。なお、上記の色は１例でありこれらの色に限られないことは云うまでもない。尚、上記ＰＶＣ樹脂の全部または一部をＡＴＢＣ―ＰＶＣ樹脂に置き換えることができる。従って、本体１１あるいは装飾部４０いずれか一方又は双方をＡＴＢＣ―ＰＶＣ樹脂に置き換えることができる。
【００３２】
使用者がイヤホンチャーム１０をタッチペンとして使用するためには、スマートフォンＳにイヤホンジャックＰから、当該接続部３０におけるピン３７を引き抜く。上記のとおり一定以上の力をかければ、スマートフォンＳのイヤホンジャックＰの係合を脱することができる。そのようにしてスマートフォンＳからイヤホンチャーム１０を取り外す。
【００３３】
使用者は、イヤホンチャーム１０における本体１１の側面部１１ａ、１１ｂに配置されている導電部２５に触れるようにして当該イヤホンチャーム１０を持ってスマートフォンＳの液晶画面Ｍに先端部２０における接触部２１をタッチすることによって、スマートフォンＳを操作することができる。尚、接続部３０の長さが十分であれば、ピン３７をスマートフォンから抜かずに使用することができることは云うまでもない。
【００３４】
また、イヤホンチャーム１０として使用する場合はスマートフォンＳにピン３７を挿入したままにすれば、イヤホンチャーム１０として使用することができる。従って、イヤホンジャックＰにほこりなどの侵入を防止することができる。
【図面の簡単な説明】
【００３５】
【図１】イヤホンチャームの斜視図。
【図２】イヤホンチャームの裏面の斜視図。
【図３】イヤホンチャームの平面図。
【図４】イヤホンチャームの使用状態図。
【符号の説明】
【００３６】
１０、イヤホンチャーム
１１、本体
２０、先端部
２５、導電部
３０、接続部    
４０、装飾部  
４１、装飾部基部
４２、４３、４４、４５、絵柄部分
【図１】
0003187290.tif 000003
【図２】
0003187290.tif 000004
【図３】
0003187290.tif 000005
【図４】
0003187290.tif 000006